(57)【要約】【課題】オーダワイヤ電話機を通じて、自装置の運用状態に関わる情報を取得することが可能な無線通信装置を提供する。【解決手段】制御部１５は、当該無線通信装置１００の各部を統括して制御するものであって、例えばレイヤ２スイッチ１３に収容した機器間や、無線通信装置２００に収容される機器との間でＩＰパケットの伝送制御を行う。また制御部１５は、自装置を自己診断して障害が発生した場合には、ＩＰパケット組立／分解部１６、会議回路１７およびアラーム音源１８を制御し、障害の発生の有無に応じてオーダワイヤ電話機１９１でなされる音声通信にアラーム音を合成することで、保守者に障害の発生を報知するようにしたものである。【選択図】      図１
2005252371.tif 000002
【特許請求の範囲】
【請求項１】
電話機を接続しオーダワイヤ方式による音声通信が可能な無線通信装置において、
無線通信の状態に関わる情報を検出する検出手段と、
この検出手段の検出結果に基づく情報を前記電話機に送信する送信手段とを具備することを特徴とする無線通信装置。
【請求項２】
電話機を接続しオーダワイヤ方式による音声通信が可能な無線通信装置において、
自装置の運用状態を検出する検出手段と、
この検出手段の検出結果に基づく情報を前記電話機に送信する送信手段とを具備することを特徴とする無線通信装置。
【請求項３】
電話機を接続しオーダワイヤ方式による音声通信が可能な無線通信装置において、
障害を検出する検出手段と、
この検出手段の検出結果に基づく情報を前記電話機に送信する送信手段とを具備することを特徴とする無線通信装置。
【請求項４】
さらに、前記電話機で運用可能なソフトウェアを記憶する記憶手段と、
前記電話機からの要求に応じて、前記記憶手段が記憶するソフトウェアを前記電話機に提供する提供手段とを備えることを特徴とする請求項１乃至請求項３のいずれかに記載の無線通信装置。
【請求項５】
電話機を接続しオーダワイヤ方式による音声通信が可能な無線通信装置において、
無線通信の状態に関わる情報を検出する検出手段と、
この検出手段の検出結果に基づくアラーム音を生成する音源手段と、
この音源手段が生成したアラーム音を前記電話機より拡声出力される通話信号に合成する合成手段とを具備することを特徴とする無線通信装置。
【請求項６】
電話機を接続しオーダワイヤ方式による音声通信が可能な無線通信装置において、
自装置の運用状態を検出する検出手段と、
この検出手段の検出結果に基づくアラーム音を生成する音源手段と、
この音源手段が生成したアラーム音を前記電話機より拡声出力される通話信号に合成する合成手段とを具備することを特徴とする無線通信装置。
【請求項７】
電話機を接続しオーダワイヤ方式による音声通信が可能な無線通信装置において、
障害を検出する検出手段と、
この検出手段の検出結果に基づくアラーム音を生成する音源手段と、
この音源手段が生成したアラーム音を前記電話機より拡声出力される通話信号に合成する合成手段とを具備することを特徴とする無線通信装置。
【請求項８】
前記音源手段は、前記検出手段の検出結果に応じた周期でアラーム音を生成することを特徴とする請求項５乃至請求項７のいずれかに記載の無線通信装置。
【請求項９】
前記音源手段は、前記検出手段の検出結果に応じた周波数のアラーム音を生成することを特徴とする請求項５乃至請求項７のいずれかに記載の無線通信装置。
【請求項１０】
屋外に設置され無線通信を行う屋外装置と、この屋外装置を制御する屋内装置とからなり、
前記屋外装置と前記屋内装置は、それぞれ前記電話機を収容する接続手段をそなえることを特徴とする請求項１乃至請求項９のいずれかに記載の無線通信装置。
【発明の詳細な説明】
【技術分野】
【０００１】
この発明は、オーダワイヤ電話機を備えた無線通信装置に関する。
【背景技術】
【０００２】
周知のように、従来の無線通信装置は、据付作業および保守作業の際に、対向する無線区間のそれぞれの装置にオーダワイヤ（保守電話）電話機を接続し、通話により互いに連絡を取り合いながら作業を進める（例えば、特許文献１）。しかしながら、据付初期および障害発生時は無線区間が不安定であったり、無線回線が切断していたりするため、まずは障害を取り除く作業を進める必要がある。
【０００３】
この障害切り分け作業では、装置に生じた障害状態をチェックする必要があるが、それには専用の保守端末を用いる。また特に、ＩＤＵ（InDoor Unit）とＯＤＵ（OutDoor Unit）をと備える無線通信装置では、ＩＤＵの障害表示で確認を行う必要があった。
【０００４】
このため、ＯＤＵの調整作業を行う際には、保守者はオーダワイヤ電話機のほかに専用の保守端末を持ち歩く必要があるとともに、屋外での作業の後にＩＤＵの障害表示状態を確認するために屋内にいる保守者と連絡を取り合ったり、場合によっては自分で屋内に戻って障害表示状態を確認する必要があり、非常に手間のかかるものとなっていた。
【特許文献１】特開２０００−１６５４２６公報
【発明の開示】
【発明が解決しようとする課題】
【０００５】
従来の無線通信装置では、保守を行うなどの際に運用状態を把握するには、専用の保守端末を準備する必要があるという問題があった。  
この発明は上記の問題を解決すべくなされたもので、オーダワイヤ電話機を通じて、自装置の運用状態に関わる情報を取得することが可能な無線通信装置を提供することを目的とする。  
また、この発明は、屋外装置と屋内装置とから構成される場合でも、保守者が屋外装置と屋内装置の間を行き来することなく、保守作業を行うことができる無線通信装置を提供することを目的とする。
【課題を解決するための手段】
【０００６】
上記の目的を達成するために、この発明は、電話機を接続しオーダワイヤ方式による音声通信が可能な無線通信装置において、無線通信の状態に関わる情報を検出する検出手段と、この検出手段の検出結果に基づく情報を電話機に送信する送信手段とを具備して構成するようにした。
【発明の効果】
【０００７】
以上述べたように、この発明では、無線通信の状態に関わる情報を検出し、この検出結果に基づく情報をオーダワイヤ方式の電話機に送信するようにしている。  
したがって、この発明によれば、保守者がオーダワイヤ方式の電話機を用いて保守を行いながら、上記電話機にて無線通信の状態に関わる情報を取得することが可能な無線通信装置を提供できる。
【発明を実施するための最良の形態】
【０００８】
以下、図面を参照して、この発明の一実施形態について説明する。  
図１は、この発明の一実施形態に係わる無線通信装置１００の構成と、これと同様の構成からなる無線通信装置２００の構成を示すものである。無線通信装置１００と無線通信装置２００との間で無線通信が行われることでシステムが構成される。なお、無線通信装置１００と無線通信装置２００とは、同様の構成からなることより、無線通信装置１００について説明する。
【０００９】
無線通信装置１００は、屋外装置（ＯＤＵ）１０と屋内装置（ＩＤＵ）１１とを備える。屋外装置１０は、屋内装置１１に接続され、屋内装置１１から動作電力が供給され、有線回線を通じて屋内装置１１との間で無線区間主信号であるＲＦ信号の送受信やオーダワイヤ用ＩＰ信号の送受信を行う。
【００１０】
また屋外装置１０は、無線通信装置２００との間で上記ＲＦ信号を用いて無線通信を行うための無線通信部や、ＬＡＮポートを備える。このＬＡＮポートには、オーダワイヤ電話機１９１を収容する。
【００１１】
オーダワイヤ電話機１９１は、ＬＣＤ（Liquid Crystal Display）などの表示部を備え、ＳＩＰプロトコルにより後述するオーダワイヤ電話機１９２と音声通信を行うものであって、屋外装置１０より電力供給を受ける。また、オーダワイヤ電話機１９１は、上記ＬＡＮポートを通じてデータを受信する通信部と、これにて受信したデータを処理して上記表示部に表示したり、受信したソフトウェアにしたがって動作する制御部を備える。
【００１２】
屋内装置１１は、モデム（Ｍｏｄｅｍ）１２と、レイヤ２スイッチ（Ｌ２ＳＷ）１３と、無線フレーム組立／分解部１４と、制御部１５と、ＩＰパケット組立／分解部１６と、会議回路１７と、アラーム音源１８とを備え、レイヤ２スイッチ１３に、オーダワイヤ電話機１９２やパーソナルコンピュータ１９３〜１９ｎを収容する。
【００１３】
制御部１５は、ＳＩＰサーバ１５１、プレゼンスサーバ１５２、レジストラ１５３、ＦＴＰサーバ１５４としての機能と、メモリ１５５を備え、屋外装置１０および屋内装置１１の各部を統括して制御し、例えばレイヤ２スイッチ１３に収容した機器間や、無線通信装置２００に収容される機器との間でＩＰパケットの伝送制御を行う。
【００１４】
また、制御部１５は、無線通信装置２００から受信信号レベルや、ビットエラーレート、障害発生や運用状態を検出する自己診断機能を備え、これらの検出結果をレイヤ２スイッチ１３を通じて当該無線通信装置１００に収容される機器に通知する制御機能や、障害発生時には障害に種類や重要度に応じてアラーム音源１８で生成するアラーム音の発生周期や周波数を制御する機能を備える。
【００１５】
モデム１２は、屋外装置１０と無線フレーム組立／分解部１４との間で、ＲＦ信号とベースバンド無線フレーム信号とを相互に変換する。レイヤ２スイッチ１３は、オーダワイヤ電話機１９２やパーソナルコンピュータ１９３〜１９ｎをＥｔｈｅｒ（Ｒ）接続によりＬＡＮポートに収容して電力供給し、これらの機器と無線フレーム組立／分解部１４、ＩＰパケット組立／分解部１６の間で、ＩＰパケットの伝送方路切替えを行うものである。
【００１６】
無線フレーム組立／分解部１４は、モデム１２とレイヤ２スイッチ１３との間で、ベースバンド無線フレーム信号とＩＰパケットとを相互に変換する。ＩＰパケット組立／分解部１６は、レイヤ２スイッチ１３を通じて、オーダワイヤ電話機１９２を用いた通話で用いられるＶｏＩＰパケットからITU G.711フォーマットのデータを分解したり、逆にG.711フォーマットのデータをＶｏＩＰパケットに組立てる処理を行う。
【００１７】
会議回路１７は、制御部１５の制御により、正常時にはオーダワイヤ通話信号をそのままＩＰパケット組立／分解部１６に折返し、障害発生時にはオーダワイヤ通話信号とアラーム音源１８にて生成されたアラーム音とを合成する。アラーム音源１８は、制御部１５の指示に応じたアラーム音（トーン信号）を生成し、会議回路１７に出力する。
【００１８】
オーダワイヤ電話機１９２は、ＬＣＤ（Liquid Crystal Display）などの表示部を備え、ＳＩＰプロトコルによりオーダワイヤ電話機１９１と音声通信を行うものであって、上記ＬＡＮポートを通じてデータを受信する通信部と、これにて受信したデータを処理して上記表示部に表示したり、受信したソフトウェアにしたがって動作する制御部を備える。
【００１９】
次に、無線通信装置１００および無線通信装置２００を設置し、双方の装置の電源を投入した後、それぞれの屋外装置設置場所に保守者が出向き、互いにアンテナの方向調整作業を開始する場合について説明する。
【００２０】
まず、オーダワイヤ電話機１９１，２９１をそれぞれの屋外装置１０，２０のＬＡＮポートに接続する。そしてオーダワイヤ電話機１９１，２９１は、それぞれの屋内装置１１，２１内の制御部１５，２５が有するＦＴＰサーバ１５４，２５４にアクセスしメモリ１５５，２５５から障害監視用ソフトウェアをダウンロードする。
【００２１】
そしてこの際に、オーダワイヤ電話機１９１，２９１は、併せてレジストラ１５３，２５３に自己のＩＰアドレス、ＳＩＰ−ＵＲＬの対応情報を登録し、これに対してレジストラ１５３，２５３はそれぞれプレゼンスサーバ１５２，２５２に対してこの情報を通知する。
【００２２】
オーダワイヤ電話機１９１，２９１は、ダウンロードした障害監視用ソフトウェアを起動し、オーダワイヤ電話機１９１，２９１の制御部は上記ソフトウェアにしたがって動作し、以降継続的に制御部１５，２５と通信し、通知される自装置の障害情報を監視するとともにその状態を表示部上に表示する。
【００２３】
これにより保守者は、上記表示部上で自装置に生じた障害情報（例えば受信信号レベル、ビットエラーレート、送信機アラーム等）をモニタしながら、屋外で調整作業を進めることが可能になる。
【００２４】
次に、上記調整作業が進み無線回線が確立した後、オーダワイヤ回線を使用してオーダワイヤ電話機１９１とオーダワイヤ電話機２９１殿間で通話しながら最終調整を行う場合について説明する。ここでは、オーダワイヤ電話機１９１から２９１に電話する場合について考える。
【００２５】
（１）オーダワイヤ電話機１９１においてオーダワイヤ電話機２９１のＳＩＰ−ＵＲＬをダイヤルする。このダイヤル情報は屋内装置１１のＳＩＰサーバ１５１に伝送され、オーダワイヤ電話機１９１にはリングバックトーンが送出される。  
（２）ＳＩＰサーバ１５１は、プレゼンスサーバ１５２にオーダワイヤ電話機２９１の所在を確認するが、上記ＳＩＰ−ＵＲＬの情報がなく、所在が確認できない。
【００２６】
（３）この場合、無線通信装置２００のＳＩＰサーバ２５１に問い合わせを行う。ただしこの場合、通話発信元のＩＰアドレス情報をオーダワイヤ電話機１９１のＩＰアドレスではなく、ＩＰパケット組立／分解部１６のＩＰアドレスに変換して問い合わせる。  
（４）この問い合わせを受けたＳＩＰサーバ２５１は、プレゼンスサーバ２５２に問い合わせし、オーダワイヤ電話機２９１のＩＰアドレスを取得する。  
（５）ただしこの場合、ＳＩＰサーバ２５１は、ＳＩＰサーバ１５１に対してＩＰパケット組立／分解部２６のＩＰアドレスを返答する。
【００２７】
（６）制御部２５は、ＩＰパケット組立／分解部２６に対して、送信先ＩＰアドレスがＩＰパケット組立／分解部２６で、送信元ＩＰアドレスがＩＰパケット組立部／分解部１６のＩＰパケットを、会議回路２７を経由させた上で送信元ＩＰアドレスをＩＰパケット組立／分解部２６、送信先ＩＰアドレスをオーダワイヤ電話機２９１にそれぞれアドレス変換し、送信先ＩＰアドレスがＩＰパケット組立／分解部２６で、送信元ＩＰアドレスがオーダワイヤ電話機２９１のＩＰパケットのヘッダ部のみ送信元ＩＰアドレスをＩＰパケット組立／分解部２６で、送信先ＩＰアドレスをＩＰパケット組立部／分解部１６にそれぞれアドレス変換するように指示する。
【００２８】
（７）これにより、ＳＩＰサーバ１５１は、ＳＩＰサーバ２５１からオーダワイヤ電話機２９１の情報としてＩＰパケット組立／分解部２６のＩＰアドレスを受信する（（５）の動作）。  
（８）また、制御部１５は、ＩＰパケット組立／分解部１６に対して、送信先ＩＰアドレスがＩＰパケット組立／分解部１６で、送信元ＩＰアドレスがオーダワイヤ電話機２９１のＩＰパケットのヘッダ部のみ送信元ＩＰアドレスをＩＰパケット組立／分解部１６に、そして送信先ＩＰアドレスをＩＰパケット組立部／分解部２６にそれぞれアドレス変換し、送信先ＩＰアドレスがＩＰパケット組立／分解部１６で、送信元ＩＰアドレスがＩＰパケット組立部／分解部２６のＩＰパケットを、会議回路１７を経由させた上で送信元ＩＰアドレスをＩＰパケット組立／分解部１６で、送信先ＩＰアドレスをオーダワイヤ電話機１９１にそれぞれアドレス変換するように指示する。
【００２９】
（９）ＳＩＰサーバ２５１は、オーダワイヤ電話機２９１に対して着信があることを通知する。このときの発信元電話機情報として、ＩＰアドレス組立／分解部２６のＩＰアドレスとして通知する。  
（１０）この通知によりオーダワイヤ電話機２９１が着信情報を検出すると、リング音を鳴動し、無線通信装置２００の保守者に着信発生を知らせる。
【００３０】
（１１）無線通信装置２００の保守者がオフフックすると、オーダワイヤ電話機２９１は応答信号をＩＰアドレス組立／分解部２６に対して送出する。この情報は、ＩＰアドレス組立／分解部２６にてアドレス変換され、ＩＰアドレス組立／分解部１６に転送される。さらにＩＰアドレス組立／分解部１６にてアドレス変換され、オーダワイヤ電話機１９１に転送される。
【００３１】
（１２）これによりオーダワイヤ電話機１９１は着信があったことを検出し、リングバックトーンを停止し、会話動作に移行するとともに応答信号をＩＰアドレス組立／分解部１６に対して送出する。この情報は、ＩＰアドレス組立／分解部１６にてアドレス変換され、ＩＰアドレス組立／分解部２６に転送される。さらに、ＩＰアドレス組立／分解部２６にてアドレス変換され、オーダワイヤ電話機２９１に転送される。  
（１３）これによりオーダワイヤ電話機２９１は、ＩＰアドレス組立／分解部２６からの応答信号受信により会話動作に移行する。
【００３２】
（１４）そして、ＩＰアドレス組立／分解部１６がオーダワイヤ電話機１９１からの応答信号をＩＰアドレス組立／分解部２６向けに変換するのに合わせて、会議回路１７により、アラーム音源１８にて生成されたアラーム音を音声合成処理する。
【００３３】
（１５）アラーム音源１８は、制御部１５からの指示により合成する音源を変化させるが、ここで正常な場合は、制御部１５は特にアラーム音源１８にアラーム音を生成させず、重度な障害が発生している場合には、制御部１５はアラーム音源１８を制御して周期の早い（または高周波な）アラーム音を生成させ、一方、軽度な障害が発生している場合には、周期の遅い（低周波な）アラーム音を生成させる。
【００３４】
（１６）一方、無線通信装置２００においても同様に、ＩＰアドレス組立／分解部２６がＩＰアドレス組立／分解部１６からの応答信号をオーダワイヤ電話機２９２向けに変換するのに合わせて、会議回路２７により、無線通信装置１００と同様の音声合成処理を実施する。
【００３５】
（１７）すなわち、アラーム音源２８は、制御部２５からの指示により合成する音源を変化させるが、ここで正常な場合は、制御部２５は特にアラーム音源２８にアラーム音を生成させず、重度な障害が発生している場合には、制御部２５はアラーム音源２８を制御して周期の早い（または高周波な）アラーム音を生成させ、一方、軽度な障害が発生している場合には、周期の遅い（低周波な）アラーム音を生成させる。  
（１８）以降、オーダワイヤ電話機１９１，２９１はＩＰアドレス組立／分解部１６，２６および会議回路１７，２７を経由して会話に至る。
【００３６】
（１９）その後、制御部１５，２５は、それぞれ通信相手からの受信信号のレベルや、ビットエラーレートを検出するとともに、定期的に自己診断を行って障害発生の有無や運用状態を検出し、これらの検出した情報をメモリ１５５，２５５に記録するとともに、その一部をそれぞれオーダワイヤ電話機１９１，２９１に送出する。
【００３７】
（２０）これに対してオーダワイヤ電話機１９１，２９１は、それぞれ制御部１５，２５から通知される情報を制御部が処理して、その情報を表示部に表示し、情報を保守者に映示する。
【００３８】
（２１）ここで、保守者によってオーダワイヤ電話機１９１，２９１から特番がダイヤルされると、これを受け付けた制御部１５，２５は、上記特番に対応する情報をメモリ１５５，２５５から読み出し、この読み出した情報をオーダワイヤ電話機１９１，２９１に送出する。
【００３９】
（２２）これに対してオーダワイヤ電話機１９１，２９１は、それぞれ制御部１５，２５から通知される情報を制御部が処理して、その情報を表示部に表示し、情報を保守者に映示する。
【００４０】
（２３）やがて終話の際には、オーダワイヤ電話機１９１でオンフックすると終話信号が送出され、ＩＰアドレス組立／分解部１６，２６および会議回路１７，２７を経由しオーダワイヤ２９１にこの情報が伝送される。
【００４１】
（２４）これに対してオーダワイヤ電話機２９１からは、終話信号に対する応答信号が送出され、ＩＰアドレス組立／分解部１６，２６および会議回路１７，２７を経由しオーダワイヤ１９１にこの情報が伝送されることで終話となる。
【００４２】
以上のように、上記構成の無線通信装置１００では、制御部１５が自装置を自己診断して障害が発生した場合には、障害の発生の有無に応じてオーダワイヤ電話機１９１でなされる音声通信にアラーム音を合成することで、保守者に障害の発生を報知するようにしている。
【００４３】
したがって、上記構成の無線通信装置１００によれば、保守者が屋外装置１０と屋内装置２０の間を行き来しなくても、保守者はオーダワイヤ電話機１９１から拡声出力されるアラーム音の有無で障害の発生の有無を認識することができる。
【００４４】
また、音声通信にアラーム音を合成するようにして拡声出力するようにしているので、オーダワイヤ電話機１９１がアナログ／デジタルの方式の如何を問わず、保守者はオフフックするだけで障害発生を認識することができる。そして、報知されるアラーム音は、障害の程度に応じて可変するようにしているので、保守者は発生した障害の程度をアラーム音を聴くことで認識することができる。
【００４５】
そしてまた、上記構成の無線通信装置１００では、制御部１５が自装置を自己診断して種々の運用状況の情報を取得してオーダワイヤ電話機１９１に送出し、これを受けたオーダワイヤ電話機１９１は上記情報を表示部に表示するようにしている。  
したがって、上記構成の無線通信装置１００によれば、保守者が屋外装置１０と屋内装置２０の間を行き来しなくても、保守者はオーダワイヤ電話機１９１の表示部で自装置の状態の情報を取得できるので、保守作業に費やしていた労力を軽減することができる。
【００４６】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４７】
その一例として例えば、上記実施の形態では、アラーム音を音声通信に合成し、オーダワイヤ電話機１９１のハンドセットのスピーカから拡声出力するものとして説明したが、これに代わって例えば、着信を報知するスピーカから上記アラーム音を報知するようにしてもよい。
【００４８】
また、発生した障害の程度を示す障害情報を制御部１５がオーダワイヤ電話機１９１に送信し、オーダワイヤ電話機１９１の制御部が、受信した上記障害情報に応じた発生周期や周波数のアラーム音を、ハンドセットのスピーカや、着信を報知するスピーカから拡声出力するようにしてもよい。この場合、音に代わり光で報知を行うようにしてもよい。
【００４９】
また上記の実施形態では、オーダワイヤ電話機１９１とオーダワイヤ電話機２９１との間で音声通信を行う場合を例に挙げて説明したが、無線通信装置１００および２００に収容される機器、例えばオーダワイヤ電話機１９２，２９２やパーソナルコンピュータ１９３〜１９ｎ，２９３〜２９ｎに発生した障害を報知するようにしてもよい。  
その他、この発明の要旨を逸脱しない範囲で種々の変形を施しても同様に実施可能であることはいうまでもない。
【図面の簡単な説明】
【００５０】
【図１】この発明に係わる無線通信装置の一実施形態の構成を示す回路ブロック図。
【符号の説明】
【００５１】
１０，２０…屋外装置（ＯＤＵ）、１１，２１…屋内装置（ＩＤＵ）、１２，２２…モデム（Ｍｏｄｅｍ）、１３，２３…レイヤ２スイッチ（Ｌ２ＳＷ）、１４，２４…無線フレーム組立／分解部、１５，２５…制御部、１６，２６…ＩＰパケット組立／分解部、１７，２７…会議回路、１８，２８…アラーム音源、１００，２００…無線通信装置、１５１，２５１…ＳＩＰサーバ、１５２，２５２…プレゼンスサーバ、１５３，２５３…レジストラ、１５４，２５４…ＦＴＰサーバ、１５５，２５５…メモリ、１９１，２９１，１９２，２９２…オーダワイヤ電話機、１９３〜１９ｎ、２９３〜２９ｎ…パーソナルコンピュータ。
【図１】
2005252371.tif 000003